(57)【要約】      （修正有）【課題】軸方向にねじり応力を出力する可撓性出力の手工具を提供する。【解決手段】主に、スプリング本体１０、管ジョイント形態をなす二つの連結部材３０、管ジョイント形態をなす二つの接続ヘッド４０、ねじり応力入力ユニット、及びねじり応力出力ユニットを対応させて構成する。ねじり応力をねじり応力入力ユニットに軸方向に入力することにより、ねじり応力をスプリング本体１０を通してねじり応力出力ユニットに伝え、尚且つ、スプリング本体１０の可撓性を有して軸方向に回転する動きを伝える特性により、ねじり応力入力ユニットは多角度の可撓性をねじり応力出力ユニットに伝える。【選択図】図２
0003191702.tif 000002
【実用新案登録請求の範囲】
【請求項１】
スプリング本体、可撓性管体、連結部材、接続ヘッド、ねじり応力入力ユニット、及びねじり応力出力ユニットを備える可撓性出力の手工具であって、
前記スプリング本体は、両端それぞれに径方向内側に収縮する区間である緊密部を備え、その二つの緊密部の相隣する位置にはそれぞれ、径方向に外側に広がる区間である結合部を設け、
前記可撓性管体は、スプリング本体に嵌設し、嵌設後にスプリング本体両端の緊密部及び結合部を両端から外側に露出させ、可撓性管体の両端にはそれぞれ連結端を設け、
管ジョイント形態をなす二つの前記連結部材において、各連結部材内部に備えた両端それぞれに固定端及び固定部を形成し、二つの連結部材の各固定端はそれぞれ可撓性管体の連結端に固定し、
管ジョイント形態をなす二つの前記接続ヘッドにおいて、各接続ヘッドの外側縁は連結部材の固定部に固着し、尚且つ接続ヘッド内部の一端には径方向に外側に広がる区間である結合溝を設け、結合溝はスプリング本体の結合部に固着し、また、結合溝の隣側には径方向内側に収縮する区間である内壁面を設け、その内壁面には螺旋溝形態の嵌合凹部を形成し、嵌合凹部のその他の平面箇所には嵌合凸部を形成し、これにより、スプリング本体の緊密部は対応する嵌合凹部と嵌合凸部内部に嵌設固定されて、それぞれが噛み合った状態をなし、接続ヘッドは対応するスプリング本体に固着されて安定した定位がなされ、
前記ねじり応力入力ユニットは、何れか一つの前記接続ヘッドの一端に連結し、
前記ねじり応力出力ユニットは、何れか一つの前記接続ヘッドの別の一端に連結するもので、
ねじり応力をねじり応力入力ユニットに軸方向に入力することにより、ねじり応力をスプリング本体を通してねじり応力出力ユニットに伝え、尚且つ、スプリング本体が可撓性を有して軸方向に回転する動きを伝える特性により、ねじり応力入力ユニットは多角度の可撓性をねじり応力出力ユニットに伝えることを特徴とする可撓性出力の手工具。
【請求項２】
前記ねじり応力入力ユニットは、前記接続ヘッドから延長して形成される六角棒区間であり、前記ねじり応力出力ユニットは、前記接続ヘッドから延長して形成されるスピード着脱部、ガイド体、スピード離脱スプリング、及びスピード着脱被嵌部を含み、前記スピード着脱部内部には六角溝を設け、スピード着脱部の外側縁には傾斜溝を設け、前記傾斜溝は六角溝に繋がり、スピード着脱部の外側縁の予定位置には環状のガイド体を固設し、尚且つ、ガイド体の隣側にはスピード離脱スプリングを嵌設し、スピード離脱スプリングの一端には引掛横棒を延長し、引掛横棒は傾斜溝内に導き入れて六角溝に露出させ、スピード着脱被嵌部はスピード離脱スプリングの外側を覆い、スピード着脱被嵌部の内部一端には制御面を設け、スピード着脱被嵌部の制御面はスピード離脱スプリングの外側縁を制御して位置を限定し、軸方向にスピード着脱被嵌部を移動させて、スピード離脱スプリングの引掛横棒を連動して六角溝内に露出させるか或いは非露出状態をつくる。スピード着脱部の前端の外側縁には嵌着区を設け、嵌着区には嵌着部材を嵌設定位し、スピード着脱被嵌部一端の位置を限定することを特徴とする請求項１に記載の可撓性出力の手工具。
【請求項３】
前記スピード離脱ユニットのスピード着脱被嵌部の一端には磁性結合座を延長させて結合し、前記磁性結合座の内側縁壁面には磁性嵌合溝を設け、尚且つ前記スピード着脱被嵌部には磁性嵌合溝に対応させる磁性座接続溝を設け、前記磁性嵌合溝と前記磁性座接続溝との間には磁性座リングを設け、尚且つ、前記磁性結合座の一端には磁性部材を設けることを特徴とする請求項２に記載の可撓性出力の手工具。
【請求項４】
前記ねじり応力入力ユニットとねじり応力出力ユニットは二相対称形態であり、それぞれに、接続ヘッドの一端から延長して形成されるスピード着脱部、ガイド体、スピード離脱スプリング、及びスピード着脱被嵌部を有し、
前記スピード着脱部内部には六角溝を設け、スピード着脱部の外側縁には傾斜溝を設け、傾斜溝は六角溝に繋がり、スピード着脱部の外側縁の予定位置には環状のガイド体を固設し、尚且つ、ガイド体の隣側にはスピード離脱スプリングを嵌設し、スピード離脱スプリングの一端には引掛横棒を延長し、引掛横棒は傾斜溝内に導き入れて六角溝に露出させ、スピード着脱被嵌部はスピード離脱スプリングの外側を覆い、スピード着脱被嵌部の内部一端には制御面を設け、スピード着脱被嵌部の制御面はスピード離脱スプリングの外側縁を制御して位置を限定し、軸方向にスピード着脱被嵌部を移動させて、スピード離脱スプリングの引掛横棒を連動して六角溝内に露出させるか或いは非露出状態をつくり、スピード着脱部の前端の外側縁には嵌着区を設け、前記嵌着区には嵌着部材を嵌設定位し、スピード着脱被嵌部一端の位置を限定することを特徴とする請求項１に記載の可撓性出力の手工具。
【請求項５】
前記スピード離脱ユニットのスピード着脱被嵌部の一端には磁性結合座を延長させて結合し、磁性結合座の内側縁壁面には磁性嵌合溝を設け、尚且つスピード着脱被嵌部は磁性嵌合溝に対応する磁性座接続溝を設け、磁性嵌合溝と磁性座接続溝の間に磁性座リングを設け、磁性結合座の一端には磁性部材を設けることを特徴とする請求項４に記載の可撓性出力の手工具。
【考案の詳細な説明】
【技術分野】
【０００１】
本考案は、可撓性出力の手工具に関し、特に軸方向にねじり応力を出力する手工具の新規構造の設計に係る。
【背景技術】
【０００２】
特許文献１に開示された「二種のねじり力出力を備えたレンチのヘッドスイング構造」は、本考案の考案者によって出願された公知特許である。その特色は主に、爪車ヘッドの構造にあり、爪車ヘッドのロータリーカットによって制御を行い、爪車ヘッドは動作の空転、回転の方向を調整し、把持部を往復回転させる時に爪車ヘッドを単一方向に迅速回転させるものである。ヘッドスイング構造は、嵌着ヘッド座上に突出耳部を備えた枠組を設けて柄部構造に被嵌し、突出耳部に内設した伝動ギアが嵌着ヘッド座内の二つの環状歯列に動きを伝える。突出耳部の横には仲介ギアを設け、柄部構造のギアと嵌着ヘッド座のギアに動作を伝える。柄部構造は、前端に突出耳部を設け、並びに、各突出耳部にピン結合することにより軸回転する。柄部構造に内設した伝動ギアは仲介ギアに噛合し、伝動ギアは把持部に連接し、把持部の外周には延長棒を嵌設する。
【０００３】
この種の公知構造形態を実際に使用した場合、下記の如き問題点がやはり存在する。
【０００４】
爪車ヘッドは柄部との一定角度に変換できないため、工作物の内部の屈曲した場所に進入させて装着作業を行なうことができない。
【０００５】
よって、前記の公知爪車ヘッドに存在する問題点に関して、更に理想的で実用性のある新規構造を開発してもらうかが、実際に使用する消費者が非常に期待するところであり、関連業者が努力して研究開発を進め、突破すべく目標及び方向性でもある。
【０００６】
前記目標に対し、本考案者は、長年に渡り関連製品に従事してきた製造、開発及び設計の経験に基づき、設計と慎重な評価を加えて、ついに、実用性を確実に有する本考案を生み出した。
【先行技術文献】
【特許文献】
【０００７】
【特許文献１】台湾特許公示第０９２１３３０９９号明細書
【考案の概要】
【考案が解決しようとする課題】
【０００８】
本考案の主な目的は、可撓性出力の手工具の提供にある。それが解決しようとする課題は、公知技術に存在する爪車ヘッドと柄部とが一定角度に変換できないために、手工具を工作物内部の屈曲した場所に進入させて装着作業を行なうことができない問題点を改善する。
【課題を解決するための手段】
【０００９】
解決問題の技術特徴は主に、スプリング本体、可撓性管体、連結部材、接続ヘッド、ねじり応力入力ユニット、及びねじり応力出力ユニットを有することにある。前記スプリング本体は、両端それぞれに径方向内側に収縮する区間を設けた緊密部を備え、その二つの緊密部の相隣する位置にはそれぞれ、径方向に外側に広がる区間である結合部を設ける。前記可撓性管体は、スプリング本体に嵌設し、嵌設後にスプリング本体両端の緊密部及び結合部を両端から外側に露出させる。可撓性管体の両端にはそれぞれ連結端を設ける。管ジョイント形態をなす二つの前記連結部材において、各連結部材内部に備えた両端それぞれに固定端及び固定部を形成し、二つの連結部材の各固定端はそれぞれ可撓性管体の連結端に固定する。管ジョイント形態をなす二つの前記接続ヘッドにおいて、各接続ヘッドの外側縁は連結部材の固定部に固着し、尚且つ接続ヘッド内部の一端には径方向に外側に広がる区間である結合溝を設け、結合溝はスプリング本体の結合部に固着する。また、結合溝の隣側には径方向内側に収縮する区間である内壁面を設け、その内壁面には螺旋溝形態の嵌合凹部を形成し、嵌合凹部のその他の平面箇所には嵌合凸部を形成する。これにより、スプリング本体の緊密部は対応する嵌合凹部と嵌合凸部内部に嵌設固定されて、それぞれが噛み合った状態をなし、接続ヘッドは対応するスプリング本体に固着されて安定した定位がなされる。前記ねじり応力入力ユニットは、何れか一つの前記接続ヘッドの別の一端に連結し、前記ねじり応力出力ユニットは、何れか一つの前記接続ヘッドの別の一端に連結する。
【考案の効果】
【００１０】
前記の独創的な設計により、本考案は、ねじり応力をねじり応力入力ユニットに軸方向に入力することにより、ねじり応力をスプリング本体を通してねじり応力出力ユニットに伝え、尚且つ、スプリング本体が可撓性を有して軸方向に回転する動きを伝える特性により、ねじり応力入力ユニットは多角度の可撓性をねじり応力出力ユニットに伝える。
【図面の簡単な説明】
【００１１】
【図１】本考案可撓性出力の手工具の組立立体図である。
【図２】本考案可撓性出力の手工具の分解立体図である。
【図３】本考案可撓性出力の手工具の使用状態図である。
【図４】本考案可撓性出力の手工具のもう一つの実施例である。
【図５】本考案可撓性出力の手工具の組立断面図である。
【図６】本考案可撓性出力の手工具の一部拡大図である。
【図７】本考案可撓性出力の手工具の使用状態図である。
【図８】本考案可撓性出力の手工具のもう一つの実施例の組立立体図である。
【図９】本考案可撓性出力の手工具のもう一つの実施例の分解立体図である。
【図１０】本考案可撓性出力の手工具のもう一つの実施例の組立断面図である。
【図１１】本考案可撓性出力の手工具のもう一つの実施例の使用状態図である。
【考案を実施するための形態】
【００１２】
図１〜６に、本考案の可撓性出力の手工具に関する好ましい実施例を示す。但し、本実施例は説明のために用いるものであり、実用新案出願においてはこの構造の制限を受けないものとする。可撓性出力の手工具は、次の構成要素を含む。
【００１３】
スプリング本体１０は、両端それぞれに径方向内側に収縮する区間を設けた緊密部１１を備え、その二つの緊密部１１の相隣する位置にはそれぞれ、径方向に外側に広がる区間である結合部１２を設ける。
【００１４】
可撓性管体２０はスプリング本体１０に嵌設し、嵌設後にスプリング本体１０両端の緊密部１１及び結合部１２を両端から外側に露出させる。可撓性管体２０の両端にはそれぞれ連結端２１を設ける。
【００１５】
管ジョイント形態をなす二つの連結部材３０において、各連結部材３０内部に備えた両端それぞれに固定端３１及び固定部３２を形成し、二つの連結部材３０の各固定端３１はそれぞれ可撓性管体２０の連結端２１に固定する。
【００１６】
管ジョイント形態をなす二つの接続ヘッド４０において、各接続ヘッド４０の外側縁は連結部材３０の固定部３２に固着し、尚且つ接続ヘッド４０内部の一端には径方向に外側に広がる区間である結合溝４１を設け、結合溝４１はスプリング本体１０の結合部１２に固着する。また、結合溝４１の隣側には径方向内側に収縮する区間である内壁面を設け、その内壁面には螺旋溝形態の嵌合凹部４２を形成し、嵌合凹部４２のその他の平面箇所には嵌合凸部４３を形成する。これにより、スプリング本体１０の緊密部１１は対応する嵌合凹部４２と嵌合凸部４３内部に嵌設、固定されて、それぞれが噛み合った状態をなし、接続ヘッド４０は対応するスプリング本体１０に固着されて安定した定位がなされる。
【００１７】
ねじり応力入力ユニットは、前記の何れか一つの接続ヘッド４０の一端に連結する。前記ねじり応力入力ユニットは、接続ヘッド４０から延長して形成される六角棒区間４７である。
【００１８】
ねじり応力出力ユニットは、前記の何れか一つの接続ヘッド４０の別の一端に連結する。前記ねじり応力出力ユニットは、接続ヘッド４０の一端から延長して形成されるスピード着脱部４４、ガイド体５７、スピード離脱スプリング５３、及びスピード着脱被嵌部５１を含む。前記スピード着脱部４４内部には六角溝４６を設け、スピード着脱部４４の外側縁には傾斜溝４５を設け、傾斜溝４５は六角溝４６に繋がる。スピード着脱部４４の外側縁の予定位置には環状のガイド体５７を固設し、尚且つ、ガイド体５７の隣側にはスピード離脱スプリング５３を嵌設し、スピード離脱スプリング５３の一端には引掛横棒５４を延長する。引掛横棒５４は傾斜溝４５内に導き入れて六角溝４６に露出させ、スピード着脱被嵌部５１はスピード離脱スプリング５３の外側を覆う。スピード着脱被嵌部５１の内部一端には制御面５２を設け、スピード着脱被嵌部５１の制御面５２はスピード離脱スプリング５３の外側縁を制御して位置を限定する。軸方向にスピード着脱被嵌部５１を移動させて、スピード離脱スプリング５３の引掛横棒５４を連動して六角溝４６内に露出させるか或いは非露出状態をつくる。スピード着脱部４４の前端の外側縁には嵌着区５５を設け、嵌着区５５には嵌着部材５６を嵌設定位し、スピード着脱被嵌部５１一端の位置を限定する。
【００１９】
図３に示すとおり、ねじり応力出力ユニットは異なるサイズのドライバヘッドＰを組み合わせた形態である。
【００２０】
図４に示すとおり、本考案のもう一つの実施例において、スピード離脱ユニット５０のスピード着脱被嵌部５１の一端には磁性結合座６０を延長させて結合する。磁性結合座６０の内側縁壁面には磁性嵌合溝６１を設け、尚且つスピード着脱被嵌部５１には磁性嵌合溝６１に対応する磁性座接続溝５８を設け、磁性嵌合溝６１と磁性座接続溝５８の間に磁性座リング６２を設け、磁性結合座６０の一端には磁性部材６３を設ける。
【００２１】
図８〜９には、本考案のもう一つの実施例を示す。ねじり応力入力ユニットとねじり応力出力ユニットは二相対称形態であり、それぞれに接続ヘッド４０の一端から延長するスピード着脱部４４、ガイド体５７、スピード離脱スプリング５３、及びスピード着脱被嵌部５１を含む。前記スピード着脱部４４内部には六角溝４６を設け、スピード着脱部４４の外側縁には傾斜溝４５を設け、傾斜溝４５は六角溝４６に繋がる。スピード着脱部４４の外側縁の予定位置には環状のガイド体５７を固設し、尚且つ、ガイド体５７の隣側にはスピード離脱スプリング５３を嵌設し、スピード離脱スプリング５３の一端には引掛横棒５４を延長する。引掛横棒５４は傾斜溝４５内に導き入れて六角溝４６に露出させ、スピード着脱被嵌部５１はスピード離脱スプリング５３の外側を覆う。スピード着脱被嵌部５１の内部一端には制御面５２を設け、スピード着脱被嵌部５１の制御面５２はスピード離脱スプリング５３の外側縁を制御して位置を限定する。軸方向にスピード着脱被嵌部５１を移動させて、スピード離脱スプリング５３の引掛横棒５４を連動して六角溝４６内に露出させるか或いは非露出状態をつくる。スピード着脱部４４の前端の外側縁には嵌着区５５を設け、嵌着区５５には嵌着部材５６を嵌設定位し、スピード着脱被嵌部５１一端の位置を限定する。
【００２２】
図１０には本考案のもう一つの実施例を示す。ねじり応力出力ユニットのスピード離脱ユニット５０のスピード着脱被嵌部５１の一端には磁性結合座６０を延長させて結合する。磁性結合座６０の内側縁壁面には磁性嵌合溝６１を設け、尚且つスピード着脱被嵌部５１は磁性嵌合溝６１に対応する磁性座接続溝５８を設け、磁性嵌合溝６１と磁性座接続溝５８の間に磁性座リング６２を設け、磁性結合座６０の一端には磁性部材６３を設け、ドライバヘッドＰは磁性でねじＳを吸着する。
【００２３】
以上により、ねじり応力をねじり応力入力ユニットに軸方向に入力することにより、ねじり応力はスプリング本体１０を通してねじり応力出力ユニットに伝え、尚且つ、スプリング本体１０の可撓性を有して軸方向に回転する動きを伝える特性により、ねじり応力入力ユニットは多角度の可撓性をねじり応力出力ユニットに伝える。
【００２４】
前述の説明をまとめると、本考案は、前記設計により、公知技術の実用新案が向き合う欠点を効果的に克服することができ、さらに、多くの長所及び実用価値を備える。よって、本考案は創意性に優れる実用新案である。
【符号の説明】
【００２５】
１０  スプリング本体
１１  緊密部
１２  結合部
２０  可撓性管体
２１  連結端
３０  連結部材
３１  固定端
３２  固定部
４０  接続ヘッド
４１  結合溝
４２  嵌合凹部
４３  嵌合凸部
４４  スピード着脱部
４５  傾斜溝
４６  六角溝
４７  六角棒区間
５０  スピード離脱ユニット
５１  スピード着脱被嵌部
５２  制御面
５３  スピード離脱スプリング
５４  引掛横棒
５５  嵌着区
５６  嵌着部材
５７  ガイド体
５８  磁性座接続溝
６０  磁性結合座
６１  磁性嵌合溝
６２  磁性座リング
６３  磁性部材
Ｐ    ドライバヘッド
Ｓ    ねじ
【図１】
0003191702.tif 000003
【図２】
0003191702.tif 000004
【図３】
0003191702.tif 000005
【図４】
0003191702.tif 000006
【図５】
0003191702.tif 000007
【図６】
0003191702.tif 000008
【図７】
0003191702.tif 000009
【図８】
0003191702.tif 000010
【図９】
0003191702.tif 000011
【図１０】
0003191702.tif 000012
【図１１】
0003191702.tif 000013
【手続補正書】
【提出日】平成25年12月17日(2013.12.17)
【手続補正１】
【補正対象書類名】実用新案登録請求の範囲
【補正対象項目名】請求項３
【補正方法】変更
【補正の内容】
【請求項３】
スピード離脱ユニットのスピード着脱被嵌部の一端には磁性結合座を延長させて結合し、前記磁性結合座の内側縁壁面には磁性嵌合溝を設け、尚且つ前記スピード着脱被嵌部には磁性嵌合溝に対応させる磁性座接続溝を設け、前記磁性嵌合溝と前記磁性座接続溝との間には磁性座リングを設け、尚且つ、前記磁性結合座の一端には磁性部材を設けることを特徴とする請求項２に記載の可撓性出力の手工具。
【手続補正２】
【補正対象書類名】実用新案登録請求の範囲
【補正対象項目名】請求項５
【補正方法】変更
【補正の内容】
【請求項５】
スピード離脱ユニットのスピード着脱被嵌部の一端には磁性結合座を延長させて結合し、磁性結合座の内側縁壁面には磁性嵌合溝を設け、尚且つスピード着脱被嵌部は磁性嵌合溝に対応する磁性座接続溝を設け、磁性嵌合溝と磁性座接続溝の間に磁性座リングを設け、磁性結合座の一端には磁性部材を設けることを特徴とする請求項４に記載の可撓性出力の手工具。
【手続補正書】
【提出日】平成26年4月28日(2014.4.28)
【手続補正１】
【補正対象書類名】実用新案登録請求の範囲
【補正対象項目名】請求項３
【補正方法】変更
【補正の内容】
【請求項３】
前記スピード着脱被嵌部の一端には磁性結合座を延長させて結合し、前記磁性結合座の内側縁壁面には磁性嵌合溝を設け、尚且つ前記スピード着脱被嵌部には磁性嵌合溝に対応させる磁性座接続溝を設け、前記磁性嵌合溝と前記磁性座接続溝との間には磁性座リングを設け、尚且つ、前記磁性結合座の一端には磁性部材を設けることを特徴とする請求項２に記載の可撓性出力の手工具。
【手続補正２】
【補正対象書類名】実用新案登録請求の範囲
【補正対象項目名】請求項５
【補正方法】変更
【補正の内容】
【請求項５】
前記スピード着脱被嵌部の一端には磁性結合座を延長させて結合し、磁性結合座の内側縁壁面には磁性嵌合溝を設け、尚且つスピード着脱被嵌部は磁性嵌合溝に対応する磁性座接続溝を設け、磁性嵌合溝と磁性座接続溝の間に磁性座リングを設け、磁性結合座の一端には磁性部材を設けることを特徴とする請求項４に記載の可撓性出力の手工具。